(57)【要約】      （修正有）【課題】歯ブラシは劣化すると廃棄したが、柄は消耗していないから歯ブラシの全体を廃棄するには問題がある。先端を交換できる歯ブラシを提供する。【解決手段】台の底面側から平面側上向かって螺旋状の台ネジ溝を設けた歯ブラシ用の毛を植毛した歯ブラシ部品を作り、一方柄の端側に輪状の内側に螺旋状のネジ溝を設け、前記歯ブラシ部品をねじ込むことにより、先端を交換できる歯ブラシを構成する。【効果】柄を廃棄しないで済むから、資源の無駄を無くす省資源になる。【選択図】図１
2006061659.tif 000002
【特許請求の範囲】
【請求項１】
台の下、円い台形の底面側から台の平面側上向かって、螺旋状の台ネジ溝（１）を設け、平面に歯ブラシ用の毛を植毛した歯ブラシの部品、粒ブラシ（２）を作る。
柄の端側に、輪状の内側に柄の平面から底面に向かい螺旋状の柄ネジ溝（３）を設け、一方の端側に保持する取っ手側が伸びてある接続柄（４）を作る。
前記粒ブラシ（２）の台ネジ溝（１）に前記接続柄（４）の柄ネジ溝（３）をネジ込んで成る、植毛部品と柄部品からなり、其々が接続、開放できる歯ブラシ装置と該歯ブラシの製法。
【発明の詳細な説明】
【技術分野】
【０００１】  以下は、本発明者が平成１６年８月１６日出願した（発明の名称）  省資源した簡便な歯ブラシ装置と該装置に用いる歯ブラシの製法、に記載した歯ブラシと形状が若干異なる外は殆んど同じであり、明細書の文脈も大きく変化していない。
種々歯ブラシは在るが、国民の歯科衛生状態を改善する為の決定的な歯ブラシが無い。
従来の歯ブラシと歯磨き習慣では歯磨き回数は増えないし、消耗した歯ブラシをそのま  ま廃棄するのは省資源に成らないから、それらの現状を改める為に使いやすくて歯科衛  生状態の改善に役立ち、省資源にもなる歯ブラシの製造に関する。
【背景技術】
【０００２】  従来の歯ブラシは使うほど先端が劣化して、いずれ廃棄する道具であるが、歯ブラシの取っ手部分は劣化していないのに廃棄されている。
歯周病など歯の疾患を少なくする為には、従来の歯磨き習慣を根本から改め、使い易い歯ブラシを普及させて、歯磨き回数を飛躍的に多くする必要がある。
従来の歯ブラシと歯磨き行為は、日に１〜３回洗面所で磨き剤を使い、コップに水を注ぎ口中をすすぐ方法を繰り返して行うが、歯の衛生についてそれだけで良いと過信している人が大多数であり、歯ブラシメーカーもその習慣に沿った歯ブラシを提供するために、歯ブラシを製造している。
従来の習慣に頼る歯磨き動作では、何時までたっても歯科衛生状態が改善しないことに気付いていないから、看過できない重大問題である。
歯科疾患の多くは永年にわたり改められなかった従来の歯ブラシの形状と従来の歯磨き生活習慣に頼りすぎている。
【発明の開示】
【発明が解決しようとする課題】
【０００３】  解決しようとする問題点は、従来の扱い難く煩雑であった歯磨きの動作を改める事であり、歯を汚したその時その場で水が無くても歯磨きが行えるシンプルな歯ブラシを提供して、理想的歯磨き習慣を定着させ、１日に行う歯磨きや歯茎マッサージの回数を従来の倍以上行い、国民の歯科衛生状態の改善に著しく貢献し、併せて歯ブラシ製造に用いる素材を節減する省資源の歯ブラシを提供する。
【課題を解決するための手段】
【０００４】  台の下、円い台形の底面側から台の平面側上向かって、螺旋状の台ネジ溝を設け、平面に歯ブラシ用の毛を植毛した歯ブラシの部品、粒ブラシを作る。
柄の端側に、輪状の内側に柄の平面から底面に向かい螺旋状の柄ネジ溝を設け、一方の端側に保持する取っ手側が伸びてある接続柄作る。
前記粒ブラシの台ネジ溝に前記接続柄の柄ネジ溝をネジ込んで成る歯ブラシを提供する。【０００５】粒ブラシの側面と接続柄の輪状内側にあるネジ溝を合わせて接続する際に、硬く接続する目的で、其々が接続する平面或いは底面またはいずれかに突起を設け、凹凸を付けかしめるのも良い。
歯ブラシの植毛部と柄部を分離し、其々は歯ブラシの部品であり、其々を組み合わせて歯ブラシは成る。其々は諸々の粒ブラシと柄であり、植毛する毛の質や形状や量、柄の質や大小、長短、色彩、デザインなどにおいても諸々で良いし、使用者のニーズに合うように種々の組み合わせが可能な品揃えをし、使用するものがそれを選べるようにするのが良い。柄の輪状であるが、輪状に底がある皿状であるのも勿論良い。【０００６】  簡単な歯磨き動作を頻繁に行える歯ブラシを提供し、従来の歯磨き習慣を変えなければ、従来の問題を改革出来ません。本発明者が平成１６年８月１６日に特許出願した「発明の名称  省資源した簡便な歯ブラシ装置と該装置に用いる歯ブラシの製法」の歯ブラシを含む、水や歯磨き剤を使わないシンプルな歯ブラシを使用した新しい歯磨き習慣が、問題を解決する。
簡便であることと歯磨き動作とは誠に深い関係があるから、歯ブラシの形状や歯磨き動作がシンプルであることは誠に重要であり、何時でも何処ででも咄嗟に使える事、水を使わなくて良く、歯磨き剤を使わなくて良い事が重要です。
テレビを見ながら、読書をしながら、歩きながら、寝たままでも使える道具である事が重要です。
食事の都度使い始めると、頑固な食物残渣が口中の歯列に残る事が無いから、口中がいつも清潔になり、嫌な残渣のにおいも無くなる道具であるから、口中を濯ぐ必要が無いから便利であり、健康な歯を維持する道具として常時携行するのが良い、使い始めるとそうなるから、専用の容器を用いるのが良いし、紐を使って首からぶら下げて置くのも良い。
【発明の効果】
【０００７】  本発明の歯ブラシは、粒ブラシを接続柄に装置して、爪楊枝を使うように、水を使わず磨き剤を使わず咄嗟に手軽に扱える。その都度ブラッシングすると、口中に爽快感が広がり、食感も大きく改善され心地よさがすぐに伝わり実感できる。
本発明の歯ブラシによるブラッシングが忘れられず、日常的に使用し続けたい欲求が自然に起こり、新たな生活習慣を身に付けると、国民の歯科衛生状態が急速に改善されます。【０００８】  本発明の歯ブラシにおいては、粒ブラシだけが消耗する部品であり、柄の部分は何時までも使用に耐えられる物になるから、従来の歯ブラシに比べてコストが安く、素材の省資源に貢献するし、柄に関しては芸術性ある恒久的な良品を作り、長い将来にわたり楽しむのも良い。柄は数本繋いだものでも良いし、粒はブラシの形状について真円形にこだわらず、従来にある形のように長い植毛部を柄に接続したのも良いし、本発明の柄にネジ溝付輪状を数個同列上に間隔を空けて設けた柄を作り、その数ほどの粒ブラシを捻じ込んで使うのも良い。【０００９】  本発明の歯ブラシは、歯を汚す前後などにおいて咄嗟にその場で使える物品であり、洗面施設を利用する必要がないから水の消費量が減少し、省水資源になる。【００１０】  本発明の歯ブラシの使い方は、多様な使い方ができる。一定の形があるわけではないから、決まった歯磨き時間にとらわれることがない。専ら使いたい時、その時その場で手軽に使用することができるから、歯磨きが気楽に簡単に使うから、口中が爽やかになり気持ちよいから回数が自然に増える。
時間が十分ある場合には、従来のようにゆっくり洗面台に向かって歯磨きを行うのも良いが、本発明なら、多忙であるにもかかわらず歯磨きのため洗面所に立って、貴重な時間に縛られる事が無くなる。
【発明を実施するための最良の形態】
【００１１】  粒ブラシの台は平で円いボタン状で、その側面周囲にネジ溝があり、柄にネジ溝付輪状内側に設けてあり、輪状の平面に凸凹を設け、粒ブラシを柄に捻じ込むと凹凸がかしめの役もするから強く締まる歯ブラシとなる。
【実施例１】
【００１２】  図１．図２．図３において螺旋のネジ溝がある粒ブラシを、金属製の接続柄のネジ溝付輪状があるえに捻じ込んで接続した歯ブラシを完成させ、食事やデザートで歯を使った後、水や歯磨き剤を使わずに該歯ブラシで歯列に沿ったブラッシングやマッサージを行った。歯磨き動作が簡単で口中の爽快感が得られ、歯が美しくなり、食感が敏感に伝わり食生活が快適に成った。
【産業上の利用可能性】
【００１３】  歯ブラシは人が生活を営む上で欠く事の出来ない小道具であり、命と健康に関わる道具である。本発明の歯ブラシには従来にない優れた性能がシンプルに具現化されているから、一度試しに使用すれば、その利便性に必ず理解が得られる確信がある。
水の省資源、原材料の省資源に貢献し、膠着している歯科衛生状態の悪しき現状を画期的に改善するから、歯周病などの歯疾患を抱えている方々にとってはすばらしい福音となるから、産業上利用の可能性は無限に広がっている。
【図面の簡単な説明】
【００１４】
【図１】粒ブラシ１個を接続柄にセットする歯ブラシの状態を示す斜視図である。（実施例１）
【図２】粒ブラシ２個を接続柄にセットする歯ブラシの状態を示す略斜視図である。（実施例１）
【図３】粒ブラシをセットした２本の歯ブラシを重ねた多機能歯ブラシの状態を示す斜視図である（実施例１）
【符号の説明】
【００１５】  １    台ネジ溝
２    粒ブラシ
３    柄ネジ溝
４    接続柄
【図１】
2006061659.tif 000003
【図２】
2006061659.tif 000004
【図３】
2006061659.tif 000005